(57)【要約】【課題】食器洗い機の運転中急激にドアを開けたときでも負荷制御手段（トライアック）の温度上昇を防止することができる食器洗い機を提供することができる。【解決手段】開口部２を有する食器洗い機本体１と、開口部２に設けられた上扉４、下扉５と、誘導モータを用いた洗浄ポンプ２０の負荷を駆動するトライアックからなる負荷制御手段１１と、食器洗い機の運転開始および一時停止を行うスタートスイッチ１６と、上扉４、下扉５の開閉を検知する扉開閉検知手段２７とを有し、スタートスイッチ１６からの一時停止の入力があったとき、または、扉開閉検知手段２７がドア開を検知したとき、洗浄ポンプ２０を駆動する負荷制御手段１１を１もしくは複数波毎に導通角１１度〜６８度の間にオンし、導通角１８０度でオフするように制御する制御装置１２を備えていることにより、負荷制御手段１１に供給する電流を減らすことができる。【選択図】図１
2010273699.tif 000002
【特許請求の範囲】
【請求項１】
開口部を有する食器洗い機本体と、前記開口部に設けられた扉と、誘導モータを用いた洗浄ポンプの負荷を駆動するトライアックからなる負荷制御手段と、食器洗い機の運転開始および一時停止を行うスタート入力手段と、前記扉の開閉を検知する扉開閉検知手段とを有し、前記スタート入力手段からの一時停止の入力があったとき、または、前記扉開閉検知手段がドア開を検知したとき、前記洗浄ポンプを駆動するトライアックを１もしくは複数波毎に導通角１１度〜６８度の間にオンし、導通角１８０度でオフするように制御をする制御装置を備えた食器洗い機。
【請求項２】
開口部を有する食器洗い機本体と、前記開口部に設けられた扉と、誘導モータを用いた洗浄ポンプの負荷を駆動するトライアックからなる負荷制御手段と、食器洗い機の運転開始および一時停止を行うスタート入力手段と、前記扉の開閉を検知する扉開閉検知手段とを有し、前記スタート入力手段からの一時停止の入力があったとき、または、前記扉開閉検知手段がドア開を検知したとき、所定時間前記洗浄ポンプを駆動するトライアックを２波毎に導通角１１度〜６８度の間にオンし、導通角１８０度でオフするように制御し、トライアックの温度上昇を抑制する制御装置を備えた食器洗い機。
【発明の詳細な説明】
【技術分野】
【０００１】
本発明は、食器の洗浄を行う食器洗い機に関するものである。
【背景技術】
【０００２】
従来の食器洗い機は、図６に例示するような構成のものが既に知られている（例えば、特許文献１参照）。この食器洗い機は、洗浄槽を内蔵した本体１００の前面の開口部に上下に開く上扉１０１、下扉１０２を有している。上扉１０１、下扉１０２は下側の上扉１０１に備えたハンドル１０３の操作で互いに連動して開閉される。上扉１０１、下扉１０２により開口を閉じることで洗浄槽を密閉し、洗浄ポンプ（図示せず）によって洗浄ノズルから食器などの被洗浄物に噴射される洗浄水の水漏れを防止する。また、洗浄ポンプは誘導モータを用いており、モータに通電を止めてもモータの回転子、洗浄ポンプの慣性力により直ぐには止まらず、僅かな時間洗浄水を洗浄ノズルから噴射している。
【０００３】
また、誘導モータは、逆転電流の通電によって、ブレーキがかけられることが知られている（例えば、特許文献２参照）。
【先行技術文献】
【特許文献】
【０００４】
【特許文献１】特開２００２−２１９０８３号公報
【特許文献２】特開平１０−１２７５５５号公報
【発明の概要】
【発明が解決しようとする課題】
【０００５】
しかしながら、誘導モータのインダクタンス成分によりトライアックをオンする毎に突入電流がトライアックの素子に電流が流れ、温度上昇が生じる。
【０００６】
そこで、本発明は、前記従来の課題を解決するもので、トライアックの温度上昇の抑制を実現した食器洗い機を提供することを目的とする。
【課題を解決するための手段】
【０００７】
上記の目的を達成するために、本発明の食器洗い機は、スタート入力手段からの一時停止の入力があったとき、または、扉開閉検知手段がドア開を検知したとき、所定時間前記洗浄ポンプを駆動するトライアックを１もしくは複数波毎に導通角１１度〜６８度の間にオンし、導通角１８０度でオフするように制御する制御装置を備えたものである。
【０００８】
本構成により、誘導モータを用いた洗浄ポンプの負荷を駆動するトライアックの温度上昇を防ぐことができる。
【０００９】
また、本発明の食器洗い機は、スタート入力手段からの一時停止の入力があったとき、または、前記扉開閉検知手段がドア開を検知したとき、所定時間前記洗浄ポンプを駆動するトライアックを２波毎に導通角１１度〜６８度の間にオンし、導通角１８０度でオフするように制御し、トライアックの温度上昇を抑制する制御装置を備えている。
【００１０】
本構成により、トライアックの温度上昇を抑制するとともに、モータに流れる電流を確保し、モータのブレーキ力の低下を抑えることができる。
【発明の効果】
【００１１】
本発明の食器洗い機によれば、誘導モータを用いた洗浄ポンプの負荷を駆動するトライアックの温度上昇を防ぐことができる。
【図面の簡単な説明】
【００１２】
【図１】本発明の実施の形態における食器洗い機の扉体閉成時の側断面図
【図２】同食器洗い機の形態における食器洗い機の扉体閉成時の側壁部断面図
【図３】同食器洗い機の概略を示すブロック構成図
【図４】同食器洗い機の操作パネルの模式図
【図５】同食器洗い機での洗浄ポンプへの印加電圧波形グラフ
【図６】従来の食器洗い機を示す斜視図
【発明を実施するための形態】
【００１３】
以下、本発明を実施するための最良の形態について、図面を参照しながら説明する。
【００１４】
（実施の形態１）
図１は本発明の実施の形態における食器洗い機の扉体閉成時の側断面図、図２は同食器洗い機の形態における食器洗い機の扉体閉成時の側壁部断面、図３は同食器洗い機の概略を示すブロック構成図、図４は同食器洗い機の操作パネルの模式図、図５は同食器洗い機での洗浄ポンプへの印加電圧波形である。
【００１５】
図１〜５において、食器洗い機の本体１の前面には開口部２が設けられており、食器洗い機本体１の内部には食器などの被洗浄物を収容して洗浄を行う洗浄槽３が設けられ、開口部２には上扉４および下扉５が設けられており、上扉４および下扉５を開放することにより被洗浄物を出し入れする。上扉４および下扉５を閉じると開口部２まわりに設けた係合部６にフック片７が弾性係合することで閉じ状態にロックされるようになっており、ハンドル８を操作して開くときはそのロックが自動的に解除されるようになっている。
【００１６】
洗浄槽３は給水弁１９から洗浄水を供給されて底部に溜める。洗浄槽３の底部に溜めている洗浄水は誘導モータを用いた洗浄ポンプ２０によって洗浄槽３内に設けられている洗浄ノズル（図示せず）に供給し、洗浄ノズルから洗浄槽３に収容している食器類に向けて噴出する。洗浄槽３の底部には水位検知手段１０があり洗浄槽３内の水位を検知し、電気信号として出力する。
【００１７】
一方、洗浄槽３の底部にはヒータ２４が配設され、洗浄水を加熱し洗浄水による洗浄効果を高める。これに併せ、洗浄槽３の底部に外側より密着するように取り付けたサーミスタ（図示せず）などの温度検知手段９を設けて、洗浄水の水温や洗浄槽３の温度を熱伝導により検知し、それらの温度制御に供する。
【００１８】
また、洗浄槽３の底部内の洗浄水を排出する排水ポンプ２５や、洗浄槽３内の蒸気を排気口から本体１外へ送り出し洗浄後の食器を乾燥させる送風ファン２６も洗浄槽３のまわりに設けてある。開口部２まわりの本体１内には上扉４および下扉５の少なくとも一方の開閉を検知する扉開閉検知手段２７が設けられている。本体１はまた、給水弁３、洗浄ポンプ４、ヒータ２４、排水ポンプ２５、送風ファン２６などを負荷制御手段（トライアック）１１を介して駆動し、洗い、すすぎ、乾燥の各行程を逐次制御する制御装置１２を内蔵している。
【００１９】
なお、本実施の形態において、洗浄水を加圧する手段として給水ポンプ１９、洗浄水を排水する手段として排水ポンプを用いたが、洗浄・排水兼用のポンプを用いてもよい。この場合、ポンプが一つになるので、コスト削減、省スペース化を実現することができる。
【００２０】
このような制御のために、本体１の前面には下扉５の下などに図２に示すような操作パネル１３が設けられている。操作パネル１３には電源を「入り」「切り」する電源入りスイッチ１４、電源切りスイッチ１５、運転開始および一時停止を行うスタート入力手段としてのスタートスイッチ１６、コースを設定するコーススイッチ１７、乾燥の時間を設定する乾燥スイッチ１８などを設けた入力手段２１と、それらの操作に応じた表示をＬＥＤなどによって行う操作表示手段２２とが設けられている。
【００２１】
制御装置１２は、マイクロコンピュータ等で構成し、入力手段２１により設定された入力と、扉開閉検知手段２７、温度検知手段９、水位検知手段１０からの入力情報とに応じて、トライアックからなる負荷制御手段１１を介し給水弁１９、洗浄ポンプ２０、ヒータ２４、排水ポンプ２５、送風ファン２６などの負荷と、ＬＥＤなどの操作表示手段２２と、報知手段３１を予め定められたシーケンスに沿って制御する。音声報知手段もしくは、メロディ報知手段もしくはブザー報知手段と操作表示手段とからなる報知手段３１は通常、扉開閉検知手段８からの扉開閉情報により検知する閉じ異常、水位検知手段１０からの水位情報により検知する給水異常や排水異常、運転終了などに際して動作させる。これらのために、異常を判定し検知する検知手段３１を制御装置１２の内部機能として備えている。なお、負荷制御手段１１や制御装置１２は電源回路３３にて生成された電源が供給される。
【００２２】
ここで、以上のような食器洗い機の一連の動作について、その概略を説明する。使用者が食器類などの被洗浄物を食器かごに配置して洗浄槽３に収納し、洗剤を入れ、上扉４および下扉５を閉めた後に電源入りスイッチ１４とスタートスイッチ１６との操作で運転を開始すると、まず洗浄槽３の底部に水位検知手段１０が所定の水位を検知するまで給水弁１９から水道水が給水される。そして、洗浄ポンプ２０およびヒータ２４に通電され、洗浄水は加熱されながら洗浄ポンプ２０により食器類に向けて洗浄ノズルから噴出される。
【００２３】
このとき、温度検知手段９により洗浄水の温度を検知し、制御装置１２は常に洗浄水の温度を把握している。洗浄水の温度が所定の温度に到達したとき、あるいは、洗浄開始から所定時間経過したとき、制御装置１２は洗浄行程を終了し、排水ポンプ２５に通電して、一旦洗浄水を排水する。
【００２４】
つぎに、新たに水道水が給水され、前述の洗浄行程と同様の動作を数分間行い排水する。このすすぎ行程を数回くり返した後、加熱すすぎ行程と称する洗浄行程と同様の動作を行い、所定温度に到達したとき、あるいは、所定時間経過したとき、これを終了として排水する。最後に送風ファン２６を運転して洗浄槽３内の蒸気を機外へ排出すると同時に、ヒータ２４に通電を行い食器類を加熱して、付着している水滴を乾燥させる。
【００２５】
このような構成において、本実施の形態では、図１に示すようにスタートスイッチ１６から一時停止の入力があったとき、または、扉開閉検知手段２７がドア開を検知したとき、図３に示すように負荷制御手段１１を１もしくは複数波毎に導通角１１度〜６８度の間にオンし、導通角１８０度でオフする制御を所定時間制御し、洗浄ポンプ（誘導モータ）２０に、略直流電圧を印加することで、ブレーキ効果を発生させ、洗浄ポンプ２０を強制的に停止させることができる。
【００２６】
特に、負荷制御手段１１を２波毎に半導通角４５度でオンし、導通角１８０度でオフする制御を所定時間制御し、洗浄ポンプ２０を略直流電圧を印加することで、ブレーキ効果を発生させ、洗浄ポンプ２０を強制的に停止させることができる。
【００２７】
このように制御することで、運転中に運転の一時停止の入力があったとき、または、ド
ア開を検知したとき、洗浄水が漏れるのを防ぐ食器洗い機を提供することができる。
【００２８】
また、負荷制御手段１１、洗浄ポンプ２０に流れる突入電流を抑制し発熱を防ぐことができ、トライアックの温度上昇を抑制することができる。また、２波毎に半波導通を制御させることにより、３波毎に半波導通を制御する場合に比べ、誘導モータに流れる電流を確保し、誘導モータのブレーキ力の低下を抑えることができる。
【産業上の利用可能性】
【００２９】
本発明は食器洗い機における急激にドアを開けたときに洗浄水が漏れることを防ぐのに有用なものである。
【符号の説明】
【００３０】
１  本体
２  開口部
３  洗浄槽
４  上扉
５  下扉
１１  負荷制御手段（トライアック）
１２  制御装置
１６  スタートスイッチ（スタート入力手段）
２０  洗浄ポンプ（誘導モータ）
【図１】
2010273699.tif 000003
【図２】
2010273699.tif 000004
【図５】
2010273699.tif 000005
【図６】
2010273699.tif 000006
【図３】
2010273699.tif 000007
【図４】
2010273699.tif 000008